(57)【要約】表示装置は、画素（３０）のマトリクスと、固定レベルデータドライバ（１１）を有し、画像更新期間の間に画素（３０）のマトリクスへ印加される駆動波形を発生させる列駆動回路（１０）とを用いる。夫々の固定レベルデータドライバ（１１）の電源供給（ＶＰＳ）は、画像更新期間の駆動期間（ＤＰ）の第１相（Ｐ１）の間に基本電圧（Ｖ０）へ設定され、夫々の固定レベルデータドライバ（１１）の電源供給は、駆動部分（ＤＰ）の第１相（Ｐ１）から駆動部分（ＤＰ）の第２相（Ｐ２）への移行に応答して基本電圧（Ｖ０）から移行電圧（Ｖ１）へ切り換えられる。基本電圧（Ｖ０）は、移行電圧（Ｖ１）よりも小さい、又は大きい。
2008521045.tif 000002
【特許請求の範囲】
【請求項１】
双安定ディスプレイの画像更新期間の駆動部分の間に固定レベルデータドライバの電圧レベルの増大を発生させる方法であって：
前記駆動部分の第１相の間に基本電圧へ前記固定レベルデータドライバの電源供給を設定するステップ；及び
前記駆動部分の前記第１相から前記駆動部分の第２相への移行に応答して前記基本電圧から第１の移行電圧へ前記固定レベルデータドライバの電源供給を切り換えるステップ；
を有し、
前記基本電圧及び前記第１の移行電圧は同じでない、方法。
【請求項２】
前記基本電圧の絶対値は、前記第１の移行電圧の絶対値よりも大きい、請求項１記載の方法。
【請求項３】
前記駆動部分の前記第２相から前記駆動部分の第３相への移行に応答して前記第１の移行電圧から第２の移行電圧へ前記固定レベルデータドライバの電源供給を切り換えるステップを更に有し、
前記基本電圧、前記第１の移行電圧及び前記第２の移行電圧は同じでない、請求項１記載の方法。
【請求項４】
前記基本電圧の絶対値は、前記第１の移行電圧の絶対値よりも大きく、
前記第１の移行電圧の絶対値は、前記第２の移行電圧の絶対値よりも大きい、請求項３記載の方法。
【請求項５】
双安定ディスプレイの画像更新期間の間に固定レベルデータドライバの電圧レベルの増大を発生させる方法であって：
前記画像更新期間の振動部分及び前記画像更新期間のリセット部分のうちの少なくとも１つの間に基本電圧へ前記固定レベルデータドライバの電源供給を設定するステップ；及び
前記画像更新期間の駆動部分の間に前記基本電圧から第１の移行電圧へ前記固定レベルデータドライバの電源供給を切り換えるステップ；
を有し、
前記基本電圧及び前記第１の移行電圧は同じでない、方法。
【請求項６】
前記基本電圧の絶対値は、前記第１の移行電圧の絶対値よりも大きい、請求項５記載の方法。
【請求項７】
前記画像更新期間の前記駆動部分の間に前記第１の移行電圧から第２の移行電圧へ前記固定レベルデータドライバの電源供給を切り換えるステップを更に有し、
前記基本電圧、前記第１の移行電圧及び前記第２の移行電圧は同じでない、請求項５記載の方法。
【請求項８】
前記基本電圧の絶対値は、前記第１の移行電圧の絶対値よりも大きく、
前記第１の移行電圧の絶対値は、前記第２の移行電圧の絶対値よりも大きい、請求項７記載の方法。
【請求項９】
画素のマトリクス；及び
固定レベルデータドライバの配列を有し、画像更新期間の間に前記画素のマトリクスへ印加される駆動波形を発生させる列駆動回路；
を有し、
夫々の固定レベルデータドライバの電源供給は、前記画像更新期間の駆動部分の第１相の間に基本電圧へ設定され、
夫々の固定レベルデータドライバの電源供給は、前記駆動部分の前記第１相から前記駆動部分の第２相への移行に応答して前記基本電圧から第１の移行電圧へ切り換えられ、
前記基本電圧及び前記第１の移行電圧は同じでない、表示装置。
【請求項１０】
前記基本電圧の絶対値は、前記第１の移行電圧の絶対値よりも大きい、請求項９記載の表示装置。
【請求項１１】
前記固定レベルデータドライバの電源供給は、前記駆動部分の前記第２相から前記駆動部分の第３相への移行に応答して前記第１の移行電圧から第２の移行電圧へ切り換えられ、
前記基本電圧、前記第１の移行電圧及び前記第２の移行電圧は同じでない、請求項９記載の表示装置。
【請求項１２】
前記基本電圧の絶対値は、前記第１の移行電圧の絶対値よりも大きく、
前記第１の移行電圧の絶対値は、前記第２の移行電圧の絶対値よりも大きい、請求項１１記載の表示装置。
【請求項１３】
画素のマトリクス；及び
固定レベルデータドライバの配列を有し、画像更新期間の間に前記画素のマトリクスへ印加される駆動波形を発生させる列駆動回路；
を有し、
前記固定レベルデータドライバの電源供給は、前記画像更新期間の振動部分及び前記画像更新期間のリセット部分のうちの少なくとも１つの間に基本電圧へ設定され、
前記固定レベルデータドライバの電源供給は、前記画像更新期間の駆動部分の間に前記基本電圧から第１の移行電圧へ切り換えられ、
前記基本電圧及び前記第１の移行電圧は同じでない、表示装置。
【請求項１４】
前記基本電圧の絶対値は、前記第１の移行電圧の絶対値よりも大きい、請求項１３記載の表示装置。
【請求項１５】
前記固定レベルデータドライバの電源供給は、前記画像更新期間の前記駆動部分の間に前記第１の移行電圧から第２の移行電圧へ切り換えられ、
前記基本電圧、前記第１の移行電圧及び前記第２の移行電圧は同じでない、請求項１３記載の表示装置。
【請求項１６】
前記基本電圧の絶対値は、前記第１の移行電圧の絶対値よりも大きく、
前記第１の移行電圧の絶対値は、前記第２の移行電圧の絶対値よりも大きい、請求項１５記載の表示装置。
【発明の詳細な説明】
【技術分野】
【０００１】
本発明は、概して、画像更新期間の間に双安定ディスプレイを駆動するための様々な方法に関する。本発明は、特に、画像更新期間の間に固定レベルデータドライバのデータ電圧レベルの数を増大させるための方法に関する。
【背景技術】
【０００２】
３レベルデータドライバ（即ち、ＶＬＯＷ、０ボルト、及びＶＨＩＧＨ）は、一般に、双安定ディスプレイ（例えば、電気泳動ディスプレイ）で使用される。より正確なグレースケール／カラースケールを達成し、且つ、白黒ディスプレイ／カラーディスプレイにおいて移行グレーレベル／カラーレベルの数を増大させるために、３レベルデータドライバを更なる電圧レベルを有するデータドライバに置き換えることが提案されてきた。
【発明の開示】
【発明が解決しようとする課題】
【０００３】
しかし、データドライバのコストは、データドライバの電圧レベルの数により指数関数的に増大する。従って、表示装置産業は、データドライバのコストを最小限としながら、より正確なグレースケール／カラースケールを達成し、且つ、白黒ディスプレイ／カラーディスプレイにおいて移行グレーレベル／カラーレベルの数を増大させるよう継続的に努めている。
【０００４】
この目的の達成するために、本発明は、画像更新期間の間に固定レベルデータドライバのデータ電圧レベルの数を増大させるための、新しく且つ独自の方法及び装置を提供する。
【課題を解決するための手段】
【０００５】
本発明の一形態は、双安定ディスプレイの画像更新期間の駆動部分の間に固定レベルデータドライバの電圧レベルの増大を発生させるための方法である。当該方法は、前記駆動部分の第１相の間に基本電圧へ前記固定レベルデータドライバの電源供給を設定するステップと、前記駆動部分の前記第１相から前記駆動部分の第２相への移行に応答して前記基本電圧から移行電圧へ前記固定レベルデータドライバの電源供給を切り換えるステップとを有する。前記基本電圧は、前記移行電圧よりも小さい、又は大きい。
【０００６】
第２の形態は、画素のマトリクスと、固定レベルデータドライバの配列を有し、画像更新期間の間に前記画素のマトリクスへ印加される駆動波形を発生させる列駆動回路とを有する配置を備える表示装置である。夫々の固定レベルデータドライバの電源供給は、前記画像更新期間の駆動部分の第１相の間に基本電圧へ設定され、夫々の固定レベルデータドライバの前記電源供給は、前記駆動部分の前記第１相から前記駆動部分の第２相への移行に応答して前記基本電圧から移行電圧へ切り換えられる。
【発明を実施するための最良の形態】
【０００７】
本発明の上記形態及び他の形態は、添付の図面に関連して読まれる目下好ましい実施例に関する以下の詳細な記載から更に明らかとなるであろう。詳細な記載及び図面は、本発明を説明するに過ぎず、限定するものではない。本発明の適用範囲は、添付の特許請求の範囲及びその均等の範囲によって定められる。
【０００８】
図１に表される双安定ディスプレイは、列駆動回路１０、行アドレス指定回路２０、及び画素３０（１）〜３Ｘ（Ｙ）のマトリクスの従来の配置を用いる。なお、Ｘ≧１及びＹ≧１である。列駆動回路１０は、電源ＶＰＳへ接続された固定レベルデータドライバ１１（１）〜１１（Ｙ）の配列を用いる。双安定ディスプレイは、図２〜５に表される本発明の画像更新期間方法の説明を容易にするよう図１で最小限に表される。それでもなお、当業者は、本発明を実施する際に双安定ディスプレイの完全な構成を理解することができる。
【０００９】
図２に表されるフローチャート４０は、画像更新期間の間に固定レベルデータドライバ１１（１）〜１１（Ｙ）のデータ電圧レベルの数を増大させるための本発明の画像更新期間方法を実施する。図２を説明するために、データドライバ１１（１）〜１１（Ｙ）は、３レベルデータドライバとして記載される。
【００１０】
フローチャート４０の段階Ｓ４２は、画像更新期間の間の、従来の振動パルスの発生を含む。この場合に、電源ＶＰＳは基本電圧Ｖ０へ設定される。図３は、ホワイトからダークグレーへの移行のための、画像更新期間の振動部分ＳＰ１における振動パルスの発生を一例として表す。図４は、ライトグレーからダークグレーへの移行のための、画像更新期間の振動部分ＳＰ２における振動パルスの発生を一例として表す。図５は、ダークグレーからライトグレーへの移行のための、画像更新期間の振動部分ＳＰ３の振動パルスの発生を一例として表す。
【００１１】
図２を参照すると、フローチャート４０の段階Ｓ４４は、画像更新期間の間の、従来のリセットパルスの発生を含む。この場合に、電源ＶＰＳは基本電圧Ｖ０へ設定される。図３は、ホワイトからダークグレーへの移行のための、画像更新期間のリセット部分ＲＰ１におけるリセットパルスの発生を一例として表す。図４は、ライトグレーからダークグレーへの移行のための、画像更新期間のリセット部分ＲＰ２におけるリセットパルスの発生を一例として表す。図５は、ダークグレーからライトグレーへの移行のための、画像更新期間のリセット部分ＲＰ３におけるリセットパルスの発生を一例として表す。
【００１２】
図２を参照すると、フローチャート４０の段階Ｓ４６は、画像更新期間の間の、従来の駆動パルスの発生を含む。この場合に、駆動パルスは、２又はそれ以上の相に分けられる。第１相Ｐ１の間、電源ＶＰＳは基本電圧Ｖ０へ設定される。第２相Ｐ２の間、電源ＶＰＳは基本電圧Ｖ０から移行電圧Ｖ１へ切り換えられる。移行電圧Ｖ１は基本電圧Ｖ０と同じでない（即ち、移行電圧Ｖ１は、基本電圧Ｖ０よりも小さい、又は大きい。）。任意の第３相Ｐ３の間、電源ＶＰＳは移行電圧Ｖ１から更なる移行電圧Ｖ２へ切り換えられる。更なる移行電圧Ｖ２は移行電圧Ｖ１と同じでない（即ち、移行電圧Ｖ２は、移行電圧Ｖ１よりも小さい、又は大きい。）。一実施例において、基本電圧Ｖ０の絶対値は、移行電圧Ｖ１の絶対値よりも大きく、移行電圧Ｖ１の絶対値は、移行電圧Ｖ２の絶対値よりも大きい。
【００１３】
図３は、ホワイトからダークグレーへの移行のための、画像更新期間の駆動部分ＤＰ１における駆動パルスの発生を一例として表す。この場合に、駆動部分ＤＰ１は、電源切換時間ｔｐｓで第１相Ｐ１から第２相Ｐ２へ移行する。図４は、ライトグレーからダークグレーへの移行のための、画像更新期間の駆動部分ＤＰ２における駆動パルスの発生を一例として表す。この場合に、駆動部分ＤＰ２は、電源切換時間ｔｐｓで第１相Ｐ１から第２相Ｐ２へ移行する。図５は、ダークグレーからライトグレーへの移行のための、画像更新期間の駆動部分ＤＰ３における駆動パルスの発生を一例として表す。この場合に、駆動部分ＤＰ３は、電源切換時間ｔｐｓで第１相Ｐ１から第２相Ｐ２へ移行する。
【００１４】
図２を参照すると、一実施例において、基本電圧Ｖ０、移行電圧Ｖ１及び移行電圧Ｖ２の全ては、画像更新期間の夫々の駆動部分の間に固定される。代替の実施例において、基本電圧Ｖ０、移行電圧Ｖ１及び／又は移行電圧Ｖ２は、画像更新期間の駆動部分の間に変更さても良い。
【００１５】
更に、段階Ｓ４２及び／又は段階Ｓ４４は、本発明が実施されている表示装置の種類に依存して、削除されても良い。
【００１６】
本明細書で開示される本発明の実施例は、現在のところ好ましいと考えられるが、本発明の精神及び適用範囲から逸脱することなく様々な変更及び変形を行うことが可能である。本発明の適用範囲は添付の特許請求の範囲で示されており、均等の意味及び範囲にある全ての変更は、その中に包含されている。
【図面の簡単な説明】
【００１７】
【図１】本発明に従う双安定ディスプレイの実施例を表す。
【図２】本発明に従う画像更新期間方法を説明するフローチャートを表す。
【図３】本発明に従う画像更新期間の間のホワイト（Ｗ）からダークグレー（ＤＧ）への移行のための例となる駆動波形を表す。
【図４】本発明に従う画像更新期間の間のライトグレー（ＬＧ）からダークグレー（ＤＧ）への移行のための例となる駆動波形を表す。
【図５】本発明に従う画像更新期間の間のダークグレー（ＤＧ）からブラック（Ｂ）への移行のための例となる駆動波形を表す。
【図１】
2008521045.tif 000003
【図２】
2008521045.tif 000004
【図３】
2008521045.tif 000005
【図４】
2008521045.tif 000006
【図５】
2008521045.tif 000007
【国際調査報告】
2008521045.tif 000008
2008521045.tif 000009
2008521045.tif 000010